(57)【要約】【課題】巻線の占積率を向上させることができる電機子を提供することが目的である。【解決手段】電機子１０は、電機子コアが周方向に分割されることにより形成されたコア構成部材４８Ｕを有している。インシュレータ６４Ｕは、一対の絶縁部６６を有しており、各絶縁部６６には、コア構成部材４８Ｕが組み付けられている。コア構成部材４８Ｕのティース部５０には、絶縁部６６を介して巻線が巻回されることにより奇数層の巻回部７４Ｕが形成されている。ティース部５０の左右では巻線のターン数が０．５ターン異なっており、これにより巻回部７４Ｕの巻き始めの端末部７４Ａと巻き終わりの端末部７４Ｃとはティース部５０における同じ側の側部に位置されている。また、この各端末部７４Ａ，７４Ｃは、電機子コアの内径側に位置されている。【選択図】図９Ｌ
2015106992.tif 000002
【特許請求の範囲】
【請求項１】
電機子コアを構成すると共に前記電機子コアの周方向に分割された複数のコア構成部材と、
前記コア構成部材に装着された一対の絶縁部をそれぞれ有する複数のインシュレータと、
前記コア構成部材のティース部に前記絶縁部を介して巻回された一対の巻回部と、前記一対の巻回部を接続する渡り線とをそれぞれ有する複数の巻線と、
を備え、
前記巻回部は、奇数層であり、
前記ティース部の左右で前記巻線のターン数が０．５ターン異なることにより前記巻回部の巻き始めの端末部と前記巻回部の巻き終わりの端末部とが前記ティース部における同じ側の側部に位置されると共に、前記各端末部が前記電機子コアの内径側に位置されている、
電機子。
【請求項２】
前記ティース部は、前記電機子コアの外径側に向けて延び、
前記巻線の巻き始め側である一方の前記巻回部の０．５ターン目は、前記巻き始めの端末部であり、該巻き始めの端末部は、前記ティース部の基端部の側部に配置されている、
請求項１に記載の電機子。
【請求項３】
前記複数のインシュレータは、前記一対の絶縁部を連結する連結部をそれぞれ有し、
前記巻き始めの端末部及び前記巻き終わりの端末部は、前記一対の絶縁部と前記連結部とによって形成されるつなぎ形状における中心角の範囲の外側に配置されている、
請求項２に記載の電機子。
【請求項４】
前記インシュレータのうち前記一方の巻回部に対応する位置に設けられた前記絶縁部には、前記巻き始めの端末部を保持するスナップフィット構造が設けられている、
請求項３に記載の電機子。
【請求項５】
前記渡り線は、前記電機子コアの軸方向一方側に配置され、
前記一方の巻回部の列替えは、前記電機子コアの軸方向一方側において行われている、
請求項４に記載の電機子。
【請求項６】
前記巻回部は、３層であり、
前記各巻回部における２層目から３層目への列替え角度は、前記各巻回部の１層目における１．５ターン目以降の列替え角度と同じとされている、
請求項５に記載の電機子。
【請求項７】
前記各巻回部における３層目の最初のターンは、前記各巻回部における２層目の最後から４番目のターンと６番目のターンとの間に位置されている、
請求項５又は請求項６に記載の電機子。
【請求項８】
前記各巻回部における３層目の最終ターンと連続する導体は、２層目の最後から２番目のターンに対する前記ティース部の基端部側に巻回され、
前記３層目の最終ターンは、該最終ターンの２つ前のターンに前記ティース部の基端部側から支持されている、
請求項７に記載の電機子。
【請求項９】
前記インシュレータのうち前記一方の巻回部に対応する位置に設けられた前記絶縁部には、前記ティース部の基端部よりも長手方向中央部側に位置する保持突起が設けられ、
前記一方の巻回部の巻き終わりの端末部は、前記渡り線の渡り始めの端末部であり、該記渡り線の渡り始めの端末部は、前記保持突起の先端部によって前記ティース部の基端部側から支持されている、
請求項８に記載の電機子。
【請求項１０】
前記一方の巻回部の１層目における１．５ターン目以降は、前記ティース部の基端部側から前記保持突起の基端部によって支持されている、
請求項９に記載の電機子。
【請求項１１】
前記保持突起は、前記スナップフィット構造を形成している、
請求項９又は請求項１０に記載の電機子。
【請求項１２】
前記各巻回部は、２層目に対して前記ティース部の基端部側に巻回された部分を有している、
請求項９〜請求項１１のいずれか一項に記載の電機子。
【請求項１３】
前記複数のコア構成部材の各々には、係合部及び被係合部が設けられ、
前記複数のコア構成部材は、隣り合う前記係合部及び前記被係合部が係合されることにより環状に連結され、
前記インシュレータにおける前記絶縁部と前記連結部との接続部分には、案内突起が設けられ、
前記渡り線の端末部側の部分は、前記案内突起によって案内されることにより、前記コア構成部材の両側の側部に形成された前記係合部と前記被係合部との間に位置されている、
請求項９〜請求項１２のいずれか一項に記載の電機子。
【請求項１４】
前記インシュレータのうち他方の前記巻回部に対応する位置に設けられた前記絶縁部には、前記ティース部の基端部よりも長手方向中央部側に位置する規制突起が設けられ、
前記他方の巻回部の１層目は、前記規制突起に対する前記ティース部の長手方向中央部側から巻き始められている、
請求項９〜請求項１３のいずれか一項に記載の電機子。
【請求項１５】
前記他方の巻回部の列替えは、前記電機子コアの軸方向一方側において行われている、
請求項１４に記載の電機子。
【請求項１６】
前記他方の巻回部における０．５ターン目から最終ターンの２つ前のターンまでは、前記一方の巻回部における１．０ターン目から最終ターンの１つ前のターンまでと同様に巻回されている、
請求項１４又は請求項１５に記載の電機子。
【請求項１７】
前記インシュレータのうち他方の前記巻回部に対応する位置に設けられた前記絶縁部には、前記規制突起を有して形成され、前記他方の巻回部における最後から２番目のターンを保持するスナップフィット構造が設けられている、
請求項１６に記載の電機子。
【請求項１８】
前記インシュレータのうち他方の前記巻回部に対応する位置に設けられた前記絶縁部には、前記他方の巻回部の列替え側と反対側に位置するガイド突起が設けられ、
前記他方の巻回部における最後から３番目のターンと最後から２番目のターンとの間の導体は、前記ガイド突起によって前記ティース部の基端部側から支持されている、
請求項１６又は請求項１７に記載の電機子。
【請求項１９】
前記インシュレータのうち他方の前記巻回部に対応する位置に設けられた前記絶縁部には、前記他方の巻回部の列替え側と反対側に位置する前記ガイド突起としての第一ガイド突起と、前記他方の巻回部の列替え側に位置する第二ガイド突起とが設けられ、
前記他方の巻回部における最後のターンと最後から２番目のターンとの間の導体は、前記渡り線の上側から前記渡り線と重なると共に、前記第二ガイド突起によって前記ティース部の長手方向中央部側から支持されている、
請求項１８に記載の電機子。
【請求項２０】
前記インシュレータのうち他方の前記巻回部に対応する位置に設けられた前記絶縁部には、前記ティース部の両側に一対のスナップフィット構造が設けられ、
前記一対のスナップフィット構造の一方は、前記他方の巻回部における最後から２番目のターンを保持し、
前記一対のスナップフィット構造の他方は、前記他方の巻回部における最後のターンを保持している、
請求項１８又は請求項１９に記載の電機子。
【請求項２１】
前記複数のインシュレータは、前記一対の絶縁部を連結する連結部をそれぞれ有し、
前記複数のインシュレータの各々に一対の前記コア構成部材が組み付けられると共に該一対のコア構成部材のティース部に前記巻線が巻回されることにより、互いに独立する複数の電機子構成ユニットが構成され、
前記複数の電機子構成ユニットは、隣り合う同士で組み合わされて複数の電機子構成部を構成し、
前記複数の電機子構成部の各々では、一対の前記渡り線が一対の前記連結部の各々に倣って配置されると共に、一方の前記連結部及び一方の前記渡り線と他方の前記連結部及び他方の前記渡り線とが前記電機子構成部の軸芯部に対する一方側と他方側に分かれて設けられている、
請求項１〜請求項２０のいずれか一項に記載の電機子。
【請求項２２】
請求項１〜請求項２１のいずれか一項に記載の電機子を備えた回転電機。
【発明の詳細な説明】
【技術分野】
【０００１】
本発明は、電機子及び回転電機に関する。
【背景技術】
【０００２】
従来、複数のティース部を有する電機子コアと、複数のティース部にインシュレータを介して巻回された巻回部を有する巻線とを備えた電機子が知られている。この種の電機子において、巻回部が偶数層（例えば２層）とされていると、巻回部の巻き始めの端末部と、巻回部の巻き終わりの端末部とを例えば電機子コアの内径側（アウターロータ型の電機子であればスロットの底側）に揃えて配置することができる。
【０００３】
ところが、巻回部が偶数層とされていると、ティース部の長手方向に亘って巻線が均等に配置されるため、電機子コアの外径側（アウターロータ型の電機子であればスロットの開放側、インナーロータ型の電機子であればスロットの底側）に巻線が配置されない箇所が生じ、その結果、巻線の占積率を低下させていた。
【０００４】
そこで、巻線の占積率を向上させるために、巻回部を奇数層とする試みがなされている（例えば、特許文献１参照）。このように、巻回部が奇数層とされていると、電機子コアの外径側に最終層（２ｎ＋１層目）を配置することで、その分、巻線の占積率を向上させることができる。
【先行技術文献】
【特許文献】
【０００５】
【特許文献１】特開２００５−２２９７０３号公報
【発明の概要】
【発明が解決しようとする課題】
【０００６】
しかしながら、特許文献１の図１１に示されるように、巻回部が奇数層とされている場合に、巻回部の巻き始めの端末部と、巻回部の巻き終わりの端末部とが、電機子コアの外径側と内径側（スロットの開放側と底側）とに分かれて配置されていると、各端末部が巻線を巻回する際に邪魔になり、その結果、巻線の占積率が低下する虞がある。
【０００７】
そこで、本発明は、巻線の占積率を向上させることができる電機子を提供することを目的とする。
【課題を解決するための手段】
【０００８】
上記目的を達成するために、請求項１に記載の電機子は、電機子コアを構成すると共に前記電機子コアの周方向に分割された複数のコア構成部材と、前記コア構成部材に装着された一対の絶縁部をそれぞれ有する複数のインシュレータと、前記コア構成部材のティース部に前記絶縁部を介して巻回された一対の巻回部と、前記一対の巻回部を接続する渡り線とをそれぞれ有する複数の巻線と、を備え、前記巻回部は、奇数層であり、前記ティース部の左右で前記巻線のターン数が０．５ターン異なることにより前記巻回部の巻き始めの端末部と前記巻回部の巻き終わりの端末部とが前記ティース部における同じ側の側部に位置されると共に、前記各端末部が前記電機子コアの内径側に位置されている。
【０００９】
この電機子によれば、巻回部が奇数層とされているので、電機子コアの外径側に最終層（２ｎ＋１層目）を配置することで、その分、巻線の占積率を向上させることができる。また、ティース部の左右で巻線のターン数が０．５ターン異なることにより巻回部の巻き始めの端末部と巻回部の巻き終わりの端末部とがティース部における同じ側の側部に位置されると共に、この各端末部が電機子コアの内径側に位置されている。従って、各端末部が巻線を巻回する際に邪魔になることを抑制することができるので、その結果、巻線の占積率をより向上させることができる。
【図面の簡単な説明】
【００１０】
【図１】回転電機の縦断面図である。
【図２】電機子の縦断面図である。
【図３】電機子の平面図である。
【図４】電機子の斜視図である。
【図５】電機子コアの斜視図である。
【図６】電機子を構成する複数の電機子構成部が組み付けられる過程を示す斜視図である。
【図７】電機子構成部の斜視図である。
【図８】電機子構成部を構成する一対の電機子構成ユニットの分解平面図である。
【図９Ａ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｂ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｃ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｄ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｅ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｆ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｇ】（Ａ）は一方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｈ】（Ａ）は電機子構成ユニットを軸方向一方側から見た平面図、（Ｂ）は電機子構成ユニットを軸方向他方側から見た平面図である。
【図９Ｉ】（Ａ）は他方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｊ】（Ａ）は他方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｋ】（Ａ）は他方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図９Ｌ】（Ａ）は他方の巻回部及びその周辺構造を電機子構成ユニットの軸方向一方側から見た平面図、（Ｂ）は電機子構成ユニットを軸方向一方側から見た平面図、（Ｃ）は電機子構成ユニットを軸方向他方側から見た平面図である。
【図１０】案内突起及びその周辺部を模式的に示す縦断面図である。
【図１１】他方の巻回部及びその周辺構造を電機子構成ユニットの軸方向他方側から見た斜視図である。
【図１２】他方の巻回部及びその周辺構造を電機子構成ユニットの軸方向一方側から見た斜視図である。
【図１３】（Ａ）は一方の巻回部及びその周辺構造を示す横断面図、（Ｂ）は他方の巻回部及びその周辺構造を示す横断面図である。
【図１４】第一変形例を示す図であって、（Ａ）は一方の巻回部及びその周辺構造を示す横断面図、（Ｂ）は他方の巻回部及びその周辺構造を示す横断面図である。
【図１５】第二変形例を示す図であって、（Ａ）は一方の巻回部及びその周辺構造を示す横断面図、（Ｂ）は他方の巻回部及びその周辺構造を示す横断面図である。
【図１６】（Ａ）は本実施形態を適用したアウターロータ型の電機子を模式的に示す図であり、（Ｂ）は本実施形態を適用したインナーロータ型の電機子を模式的に示す図である。
【発明を実施するための形態】
【００１１】
以下、図面に基づき、本発明の一実施形態について説明する。
【００１２】
図１に示されるように、本実施形態に係る回転電機Ｍは、アウターロータ型のブラシレスモータであり、固定子である電機子１０と、回転子１２と、センターピース１４と、モータホルダ１６と、回路基板１８と、ケース２０とを備えている。
【００１３】
電機子１０は、より具体的には後述の構成とされており、環状に形成されている。この電機子１０の内側には、センターピース１４の軸芯部に設けられた軸部２２が圧入されており、これにより、電機子１０は、センターピース１４に支持されている。
【００１４】
回転子１２は、有天円筒状のハウジング２４と、このハウジング２４の内周面に固着されたマグネット２６とを有している。マグネット２６は、電機子１０の径方向外側に電機子１０と対向して設けられている。ハウジング２４の軸芯部には、一対の軸受２８が設けられており、この一対の軸受２８の内側には、回転シャフト３０が圧入されている。回転シャフト３０は、一対の軸部２２に支持されており、これにより、回転子１２は、電機子１０及びセンターピース１４に対して回転可能とされている。この回転子１２には、一例として、シロッコファン３２が一体回転可能に固定されている。
【００１５】
センターピース１４は、円盤状の本体部３４を有しており、この本体部３４は、ハウジング２４の開口と対向して設けられている。モータホルダ１６は、本体部３４に対する電機子１０側から本体部３４に組み付けられており、回路基板１８は、本体部３４に対する電機子１０側と反対側から本体部３４に固定されている。ケース２０は、回路基板１８に対する本体部３４側と反対側から本体部３４及びモータホルダ１６に組み付けられている。
【００１６】
続いて、上述の電機子１０について詳述する。
【００１７】
図２，図３に示されるように、電機子１０は、電機子コア４２と、絶縁部材４４と、Ｕ相，Ｖ相，Ｗ相の３相を構成する複数の巻線４６Ｕ、４６Ｕ’、４６Ｖ、４６Ｖ’、４６Ｗ、４６Ｗ’とを有している。各図において、矢印Ｚ１は、電機子１０の軸方向一方側を示し、矢印Ｚ２は、電機子１０の軸方向他方側を示している。
【００１８】
電機子コア４２は、分割コアであり、図５に示されるように、この電機子コア４２の周方向に分割された１２個のコア構成部材４８Ｕ、４８Ｕ’、４８Ｖ、４８Ｖ’、４８Ｗ、４８Ｗ’によって構成されている。この複数のコア構成部材４８Ｕ〜４８Ｗ’は、概略Ｔ字状に形成されたティース部５０と、このティース部５０の基端部に形成された継鉄構成部５２とをそれぞれ有している。複数のコア構成部材４８Ｕ〜４８Ｗ’が環状に配列された状態において、複数の継鉄構成部５２は、環状の継鉄５４を形成し、複数のティース部５０は、継鉄５４の周囲に放射状に配置される。
【００１９】
この複数のコア構成部材４８Ｕ〜４８Ｗ’の各々には、凸状の係合部５６と、凹状の被係合部５８がそれぞれ設けられている。係合部５６は、継鉄構成部５２における一方の側部に形成されており、被係合部５８は、継鉄構成部５２における他方の側部に形成されている。そして、この複数のコア構成部材４８Ｕ〜４８Ｗ’は、隣り合う係合部５６及び被係合部５８が係合されることにより環状に連結される。
【００２０】
図３，図４に示されるように、絶縁部材４４は、６つのインシュレータ６４Ｕ、６４Ｕ’、６４Ｖ、６４Ｖ’、６４Ｗ、６４Ｗ’に分割されている（図６も参照）。Ｕ相のインシュレータ６４Ｕとインシュレータ６４Ｕ’とは、電機子１０の軸方向視にて面対称に形成されている。同様に、Ｖ相のインシュレータ６４Ｖとインシュレータ６４Ｖ’とは、電機子１０の軸方向視にて面対称に形成され、Ｗ相のインシュレータ６４Ｗとインシュレータ６４Ｗ’とは、電機子１０の軸方向視にて面対称に形成されている。
【００２１】
図６に示されるように、この複数のインシュレータ６４Ｕ〜６４Ｗ’は、一対の絶縁部６６と連結部６８とをそれぞれ有している。各絶縁部６６は、コア構成部材４８Ｕ〜４８Ｗ’と略同様の外形形状を有しており、コア構成部材４８Ｕ〜４８Ｗ’にそれぞれ装着されることで電機子１０の軸方向両側から各コア構成部材４８Ｕ〜４８Ｗ’を覆っている。
【００２２】
各連結部６８は、複数のコア構成部材４８Ｕ〜４８Ｗ’の内径部に沿う円弧状に形成されており、一対の絶縁部６６のうち電機子１０の軸方向一方側（矢印Ｚ１側）に位置する端部を連結している。インシュレータ６４Ｕ、６４Ｕ’に形成された一対の連結部６８は、電機子１０の軸方向視にて環状を成すように互いに同一の半径を有している。同様に、インシュレータ６４Ｖ、６４Ｖ’に形成された一対の連結部６８は、電機子１０の軸方向視にて環状を成すように互いに同一の半径を有しており、インシュレータ６４Ｗ、６４Ｗ’に形成された一対の連結部６８は、電機子１０の軸方向視にて環状を成すように互いに同一の半径を有している。
【００２３】
また、図２に示されるように、各連結部６８は、断面Ｌ字状に形成されており、電機子１０の軸方向を高さ方向として形成された案内部７０と、案内部７０における高さ方向の一端側（矢印Ｚ２側）から連結部６８の径方向外側へ延出する支持部７２とを有している。図６に示されるように、インシュレータ６４Ｕ、６４Ｖ、６４Ｗは、電機子１０の軸方向における連結部６８の形成位置が異なる以外は、互いに同様の形状とされている。同様に、インシュレータ６４Ｕ’、６４Ｖ’、６４Ｗ’は、電機子１０の軸方向における連結部６８の形成位置が異なる以外は、互いに同様の形状とされている（図３，図４も参照）。
【００２４】
なお、詳細に図示しないが、各インシュレータ６４Ｕ〜６４Ｗ’は、一対の絶縁部６６の上部及び連結部６８を有するインシュレータアッパと、一対の絶縁部６６の下部のみを形成する一対のインシュレータロアによって構成されている。
【００２５】
図７に示されるように、Ｕ相を構成する巻線４６Ｕは、絶縁部６６を介してコア構成部材４８Ｕのティース部５０に集中巻きで巻回された一対の巻回部７４Ｕと、この一対の巻回部７４Ｕを接続する渡り線７６Ｕとを有している。同様に、Ｕ相を構成する巻線４６Ｕ’は、絶縁部６６を介してコア構成部材４８Ｕ’のティース部５０に集中巻きで巻回された一対の巻回部７４Ｕ’と、この一対の巻回部７４Ｕ’を接続する渡り線７６Ｕ’とを有している。
【００２６】
一対の巻回部７４Ｕは、順方向に巻回されており、一対の巻回部７４Ｕ’は、逆方向に巻回されている。また、各巻回部７４Ｕは、一対のコア構成部材４８Ｕに対して一方の連結部６８が張り出す側（矢印Ａ側）と反対側に巻き終わりの端末部又は巻き始めの端末部が位置するように締り方向に巻回されている。同様に、各巻回部７４Ｕ’は、一対のコア構成部材４８Ｕ’に対して他方の連結部６８が張り出す側（矢印Ａ’側）と反対側に巻き終わりの端末部又は巻き始めの端末部が位置するように締り方向に巻回されている。
【００２７】
一対の渡り線７６Ｕ、７６Ｕ’は、いずれも上述の連結部６８に倣って配置されている。この各渡り線７６Ｕ、７６Ｕ’は、より具体的には、案内部７０の外周面に倣って配置されており、この案内部７０によって連結部６８の径方向内側から支持されている。また、この各渡り線７６Ｕ、７６Ｕ’は、支持部７２によって電機子１０の軸方向他方側（矢印Ｚ２側）から支持されている。
【００２８】
また、図６に示されるように、Ｖ相を構成する巻線４６Ｖは、上述の巻線４６Ｕと同様に、絶縁部６６を介してコア構成部材４８Ｖに集中巻きで巻回された一対の巻回部７４Ｖと、この一対の巻回部７４Ｖを接続する渡り線７６Ｖとを有している。巻線４６Ｖ’は、上述の巻線４６Ｕ’と同様に、絶縁部６６を介してコア構成部材４８Ｖ’に集中巻きで巻回された一対の巻回部７４Ｖ’と、この一対の巻回部７４Ｖ’を接続する渡り線７６Ｖ’とを有している。
【００２９】
同様に、Ｗ相を構成する巻線４６Ｗは、絶縁部６６を介してコア構成部材４８Ｗに集中巻きで巻回された一対の巻回部７４Ｗと、この一対の巻回部７４Ｗを接続する渡り線７６Ｗとを有している。巻線４６Ｗ’は、絶縁部６６を介してコア構成部材４８Ｗ’に集中巻きで巻回された一対の巻回部７４Ｗ’と、この一対の巻回部７４Ｗ’を接続する渡り線７６Ｗ’とを有している。渡り線７６Ｖ〜７６Ｗ’は、上述のＵ相の渡り線７６Ｕ、７６Ｕ’と同様に連結部６８の案内部７０及び支持部７２によって支持されている（図２参照）。
【００３０】
続いて、上述の巻回部７４Ｕ〜７４Ｗ’、渡り線７６Ｕ〜７６Ｗ’、及び、その周辺構造についてさらに詳述する。以下では、巻回部７４Ｕ〜７４Ｗ’のうちの巻回部７４Ｕ、及び、渡り線７６Ｕ〜７６Ｗ’のうちの渡り線７６Ｕを例に説明する。
【００３１】
なお、各図に示される巻回部７４Ｕの断面内に付された数字は、巻回部７４Ｕの巻回順序（ターンの順番）を示している。また、以下の説明では、一対の巻回部７４Ｕのうち一方を巻回部７４Ｕ−１と称し、他方を巻回部７４Ｕ−２と称する。
【００３２】
先ず、一方の巻回部７４Ｕ−１及びその周辺構造について説明する。図９Ａに示されるように、インシュレータ６４Ｕのうち後述する一方の巻回部７４Ｕ−１に対応する位置に設けられた絶縁部６６には、保持突起８４、規制突起８６、及び、一対の支持部８８，９０が形成されている。保持突起８４は、ティース部５０の横幅方向の一方側に向けて延びており、規制突起８６は、ティース部５０の横幅方向の他方側に向けて延びている。一対の支持部８８，９０は、ティース部５０の基端部の両側に位置しており、ティース部５０の横幅方向の両側に広がっている。保持突起８４及び規制突起８６は、一対の支持部８８，９０よりもティース部５０の長手方向中央部側に位置する。保持突起８４は、一方の支持部８８よりも長く形成されており、この一方の支持部８８に対してティース部５０の横幅方向一方側に突出している。この保持突起８４及び一方の支持部８８は、Ｕ字状のスナップフィット構造９２を形成している。
【００３３】
図９Ａに示されるように、巻線４６Ｕの巻き始め側である一方の巻回部７４Ｕ−１の０．５ターン目は、この一方の巻回部７４Ｕ−１における巻き始めの端末部７４Ａであり、この巻き始めの端末部７４Ａは、電機子コアの外径側に向けて延びるティース部５０の基端部の側部（最も電機子コアの内径側）に配置される。このとき、巻き始めの端末部７４Ａは、ティース部５０の一方の側部（図９Ａ（Ａ）においてティース部５０の右側）であって、図９Ａ（Ｂ）に示される一対の絶縁部６６と連結部６８とによって形成されるつなぎ形状６９における中心角の範囲６９Ａの外側に配置される。また、この巻き始めの端末部７４Ａは、スナップフィット構造９２により保持される。
【００３４】
続いて、図９Ｂに示されるように、巻回部７４Ｕ−１の１．０ターン目は、規制突起８６にティース部５０の長手方向中央部側から巻き掛けられる。このとき、巻回部７４Ｕ−１の列替えは、電機子コアの軸方向一方側（つまり、図２に示される渡り線７６Ｕ〜７６Ｗ’及び連結部６８が配置される側であって矢印Ｚ１側）において行われる。
【００３５】
そして、図９Ｃに示されるように、上述の０．５ターン目から１．０ターン目までと同様の要領で、巻回部７４Ｕ−１の１．５ターン目から７．５ターン目までが通常の集中巻き（整列巻き）と同様の手法でティース部５０に巻回される。この巻回部７４Ｕ−１の１．５ターン目から７．５ターン目までは、巻回部７４Ｕ−１の１層目であり、保持突起８４及び規制突起８６からティース部５０の先端部に向けて巻回される。また、巻回部７４Ｕ−１の８．０ターン目からは、巻回部７４Ｕ−１の２層目となり、ティース部５０の先端部からティース部５０の長手方向中央部側に向けて巻回される。
【００３６】
図９Ｄに示されるように、巻回部７４Ｕ−１の２層目は、８．０ターン目から１０．５ターン目までである。ここで、後述する１１．０ターン目（図９Ｅ（Ａ）参照）から始まる３層目を２層目の８．０ターン目と９．０ターン目との間から始めるため、２層目から３層目への列替え角度が大きくならないように、２層目においては５本の導体ではなく８．０ターン目から１０．５ターン目までの３本の導体が巻回される。そして、これにより、図９Ｅに示されるように、巻回部７４Ｕ−１における２層目から３層目への列替え角度（１０．５ターン目と１１．０ターン目との間の導体の角度）は、巻回部７４Ｕ−１の１層目における１．５ターン目以降の列替え角度と同じとされる。
【００３７】
図９Ｅに示されるように、巻回部７４Ｕ−１の３層目は、１１．０ターン目（３層目の最初のターンに相当）から始まる。２層目の９．０ターン目と１０．０ターン目との間に３層目の最初のターンである１１．０ターン目を配置するのは困難であるので、この１１．０ターン目は、２層目の最後から２番目のターンと４番目のターンとの間（１０．０ターン目と９．０ターン目との間）ではなく、２層目の最後から４番目のターンと６番目のターンとの間（９．０ターン目と８．０ターン目との間）に配置される。この巻回部７４Ｕ−１の３層目は、図９Ｆに示されるように、１１．０ターン目から１２．５ターン目までであり、ティース部５０の長手方向中央部側からティース部５０の先端部側に向けて巻回される。
【００３８】
また、図９Ｆに示されるように、巻回部７４Ｕ−１の３層目の最終ターンである１２．５ターン目と連続する導体７４Ｅは、２層目の最後から２番目のターンである１０．０ターン目に対するティース部５０の基端部側に巻回される。つまり、１２．５ターン目の次の１３．０ターン目は、２層目の１０．０ターンに対するティース部５０の基端部側に配置される。このとき、この３層目の最終ターンである１２．５ターン目は、該最終ターンの２つ前のターンである１１．５ターン目にティース部５０の基端部側から支持される。
【００３９】
続いて、図９Ｇに示されるように、巻回部７４Ｕ−１の２層目に対してティース部５０の基端部側に向けて順に１３．０ターン目から１５．０ターン目までが巻回される。そして、これにより、巻回部７４Ｕ−１には、２層目に対してティース部５０の基端部側に巻回された部分７４Ｂ（１３．０ターン目から１５．０ターン目までの部分）が形成される。また、巻回部７４Ｕ−１の１層目における１．５ターン目以降は、ティース部５０の基端部側から保持突起８４の基端部によって支持されるが、巻回部７４Ｕ−１における巻き終わりの端末部７４Ｃでもある渡り線７６Ｕの渡り始めの端末部７６Ａは、保持突起８４の先端部によってティース部５０の基端部側から支持される。以上により、一方の巻回部７４Ｕ−１の巻回が終了する。図１３（Ａ）には、上記の要領で巻回された一方の巻回部７４Ｕ−１の巻回構造（０．５ターン目〜１５．５ターン目まで）が示されている。
【００４０】
続いて、渡り線７６Ｕ及びその周辺構造について説明する。図９Ｈに示されるように、渡り線７６Ｕは、円弧状の連結部６８に倣って配置される。ここで、インシュレータ６４Ｕにおける絶縁部６６と連結部６８との接続部分には、電機子の軸方向を高さ方向とする（矢印Ｚ１側に突出する）案内突起７８が設けられている。案内突起７８は、図１０に模式的に示されるように、その高さ方向の上側（矢印Ｚ１側）に向かうに従って上述の連結部６８が張り出す側（矢印Ａ側）に向かう傾斜面７８Ａを有している。
【００４１】
そして、渡り線７６Ｕにおける巻き始めの端末部７６Ａ側の部分７６Ｂは、案内突起７８の傾斜面７８Ａによって案内（支持）されることにより、コア構成部材４８Ｕの両側の側部に形成された係合部５６と被係合部５８との間に位置される。また、図９Ｉに示されるように、渡り線７６Ｕにおける巻き終わりの端末部７６Ｄ側の部分７６Ｃも、案内突起７８の傾斜面７８Ａによって案内（支持）されることにより、コア構成部材４８Ｕの両側の側部に形成された係合部５６と被係合部５８との間に位置される。
【００４２】
続いて、他方の巻回部７４Ｕ−２及びその周辺構造について説明する。図９Ｉに示されるように、インシュレータ６４Ｕのうち他方の巻回部７４Ｕ−２に対応する位置に設けられた絶縁部６６には、一対の規制突起９６、及び、一対の支持部９８が形成されている。一方の規制突起９６は、ティース部５０の横幅方向の一方側に向けて延びており、他方の規制突起９６は、ティース部５０の横幅方向の他方側に向けて延びている。一対の支持部９８は、ティース部５０の基端部の両側に位置しており、ティース部５０の横幅方向の両側に広がっている。一対の規制突起９６は、一対の支持部９８よりもティース部５０の長手方向中央部側に位置する。各規制突起９６及び支持部９８は、ティース部の両側に一対のスナップフィット構造１０２Ａ，１０２Ｂをそれぞれ形成している。この一対のスナップフィット構造１０２Ａ，１０２Ｂは、いずれもＵ字状に形成されている。
【００４３】
図９Ｉに示されるように、他方の巻回部７４Ｕ−２の１層目は、一方の規制突起９６に対するティース部５０の長手方向中央部側から巻き始められる。この１層目の最初のターンである０．５ターン目は、他方の巻回部７４Ｕ−２における巻き始めの端末部７４Ａであり、渡り線７６Ｕにおける渡り終わりの端末部７６Ｄでもある。この１層目は、０．５ターン目から７．０ターン目までである。この１層目は、一対の規制突起９６からティース部５０先端部に向けて巻回される。このとき、他方の巻回部７４Ｕ−２の列替えは、上述の一方の巻回部７４Ｕ−１と同様に、電機子コアの軸方向一方側（つまり、図２に示される渡り線７６Ｕ〜７６Ｗ’及び連結部６８が配置される側であって矢印Ｚ１側）において行われる。
【００４４】
そして、図９Ｊに示されるように、他方の巻回部７４Ｕ−２における最初のターン（０．５ターン目）から最終ターンの２つ前のターンである１４．５ターン目までは、上述の一方の巻回部７４Ｕ−１における１．０ターン目から最終ターンの１つ前のターンである１５．０ターン目（図９Ｇ（Ａ）参照）までと同様に巻回される。
【００４５】
続いて、図９Ｋに示されるように、他方の巻回部７４Ｕ−２における最後から２番目のターンである１５．０ターン目が一方のスナップフィット構造１０２Ａにより保持される。図１１に示されるように、他方の巻回部７４Ｕ−２に対応して設けられた絶縁部６６には、他方の巻回部７４Ｕ−２における列替え側と反対側（矢印Ｚ２側）に位置する第一ガイド突起１０４（ガイド突起）が設けられている。そして、巻回部７４Ｕ−２における最後から３番目のターンである１４．５ターン目と最後から２番目のターンである１５．０ターン目との間の導体７４Ｆは、第一ガイド突起１０４によってティース部５０の基端部側から支持される。
【００４６】
また、図１２に示されるように、他方の巻回部７４Ｕ−２に対応して設けられた絶縁部６６には、他方の巻回部７４Ｕ−２における列替え側（矢印Ｚ１側）に位置する第二ガイド突起１０６が設けられている。そして、他方の巻回部７４Ｕ−２における最後のターンである１５．５ターン目と最後から２番目のターンである１５．０ターン目との間の導体７４Ｇは、渡り線７６Ｕの上側から渡り線７６Ｕと重なると共に、第二ガイド突起１０６によってティース部５０の長手方向中央部側から支持される。
【００４７】
また、他方の巻回部７４Ｕ−２における最後のターンである１５．５ターン目は、他方のスナップフィット構造１０２Ｂにより保持される。この１５．５ターン目は、他方の巻回部７４Ｕ−２における巻き終わりの端末部７４Ｃであり、この巻き終わりの端末部７４Ｃは、ティース部５０の一方の側部（図９Ｌ（Ａ）においてティース部５０の右側）であって、図９Ｌ（Ｂ）に示される一対の絶縁部６６と連結部６８とによって形成される上述のつなぎ形状６９における中心角の範囲６９Ａの外側に配置される。以上により、他方の巻回部７４Ｕ−２の巻回が終了する。図１３（Ｂ）には、上記の要領で巻回された他方の巻回部７４Ｕ−２の巻回構造（０．５ターン目〜１５．５ターン目まで）が示されている。
【００４８】
なお、図９Ａ〜図１３では、一対の巻回部７４Ｕ、渡り線７６Ｕ、及び、その周辺構造を例に説明したが、図８に示される一対の巻回部７４Ｕ’、渡り線７６Ｕ’及び、その周辺構造は、上述の一対の巻回部７４Ｕ、渡り線７６Ｕ、及び、その周辺構造と面対称である。また、図６に示される一対の巻回部７４Ｖ、渡り線７６Ｖ、及び、その周辺構造と、一対の巻回部７４Ｗ、渡り線７６Ｗ、及び、その周辺構造とは、上述の一対の巻回部７４Ｕ、渡り線７６Ｕ、及び、その周辺構造と同様であり、一対の巻回部７４Ｖ’、渡り線７６Ｖ’、及び、その周辺構造と、一対の巻回部７４Ｗ’、渡り線７６Ｗ’、及び、その周辺構造とは、上述の一対の巻回部７４Ｕ、渡り線７６Ｕ、及び、その周辺構造と面対称である。上述の巻線４６Ｕ〜４６Ｗの材料には、例えば、銅やアルミニウム等が適宜選択される。
【００４９】
また、図１０に示される案内突起７８は、上述のインシュレータ６４Ｕ’〜６４Ｗ’（図６等参照）にも形成されており、渡り線７６Ｕ’〜７６Ｗ’における各端末部側の部分は、渡り線７６Ｕと同様に案内突起７８によって案内されている。
【００５０】
そして、この電機子１０では、図７に示されるように、Ｕ相を形成する一方のインシュレータ６４Ｕに一対のコア構成部材４８Ｕが組み付けられると共に、この一対のコア構成部材４８Ｕのティース部５０に巻線４６Ｕが巻回されることにより、電機子構成ユニット８０Ｕが構成されている。また、Ｕ相を形成する他方のインシュレータ６４Ｕ’に一対のコア構成部材４８Ｕ’が組み付けられると共に、この一対のコア構成部材４８Ｕ’のティース部５０に巻線４６Ｕ’が巻回されることにより、電機子構成ユニット８０Ｕ’が構成されている。
【００５１】
さらに、このＵ相の電機子構成ユニット８０Ｕ、８０Ｕ’と同様に、Ｖ相、Ｗ相についても、電機子構成ユニット８０Ｖ、８０Ｖ’、８０Ｗ、８０Ｗ’が構成されている（図６参照）。この６つの電機子構成ユニット８０Ｕ〜８０Ｗ’は、互いに独立して構成されている。
【００５２】
図６に示されるように、各電機子構成ユニット８０Ｕ〜８０Ｗ’では、一対のコア構成部材４８Ｕ〜４８Ｗ’がそれぞれ４個分の隙間を空けて配置されている。つまり、電機子構成ユニット８０Ｕでは、一対のコア構成部材４８Ｕの間にＶ相の２個のコア構成部材４８Ｖ、４８Ｖ’とＷ相の２個のコア構成部材４８Ｗ，４８Ｗ’が配置される隙間が設けられている。同様に、電機子構成ユニット８０Ｕ’では、一対のコア構成部材４８Ｕ’の間にＶ相の２個のコア構成部材４８Ｖ、４８Ｖ’とＷ相の２個のコア構成部材４８Ｗ，４８Ｗ’が配置される隙間が設けられている。電機子構成ユニット８０Ｖ〜８０Ｗ’についても同様である。
【００５３】
さらに、図６に示されるように、上述の６つの電機子構成ユニット８０Ｕ〜８０Ｗ’は、隣り合う同士（同じ相を構成する同士）で組み合わされて３つの電機子構成部８２Ｕ、８２Ｖ、８２Ｗを構成している。つまり、電機子構成ユニット８０Ｕ、８０Ｕ’は、互いに組み合わされて電機子構成部８２Ｕを構成している（図６も参照）。同様に、電機子構成ユニット８０Ｖ、８０Ｖ’は、互いに組み合わされて電機子構成部８２Ｖを構成しており、電機子構成ユニット８０Ｗ、８０Ｗ’は、互いに組み合わされて電機子構成部８２Ｗを構成している。
【００５４】
電機子構成部８２Ｕを構成する一対の電機子構成ユニット８０Ｕ、８０Ｕ’の固定は、隣り合うコア構成部材４８Ｕ，４８Ｕ’の係合部５６及び被係合部５８が係合されることにより行われる（図５参照）。電機子構成部８２Ｖを構成する一対の電機子構成ユニット８０Ｖ、８０Ｖ’の固定、及び、電機子構成部８２Ｗを構成する一対の電機子構成ユニット８０Ｗ、８０Ｗ’の固定についても同様である。
【００５５】
また、図６に示されるように、電機子構成部８２Ｕでは、一対の渡り線７６Ｕ、７６Ｕ’が一対の連結部６８の各々に倣って配置されている。さらに、この電機子構成部８２Ｕでは、電機子構成ユニット８０Ｕに設けられた連結部６８及び渡り線７６（一方の連結部６８及び一方の渡り線７６）と、電機子構成ユニット８０Ｕ’に設けられた連結部６８及び渡り線７６（他方の連結部６８及び他方の渡り線７６）とが電機子構成部８２Ｕの軸芯部８３に対する一方側（矢印Ａ側）と他方側（矢印Ａ’側）に分かれて設けられている。電機子構成部８２Ｕの軸芯部８３は、電機子構成部８２Ｕの径方向の中央部（環状を成す一対の連結部６８の中心部）に相当する。この電機子構成部８２Ｕに設けられた一対の連結部６８は、一対の電機子構成ユニット８０Ｕ、８０Ｕ’が組み合わされた状態において環状を成している。
【００５６】
同様に、図６に示されるように、電機子構成部８２Ｖでは、電機子構成ユニット８０Ｖに設けられた連結部６８及び渡り線７６と、電機子構成ユニット８０Ｖ’に設けられた連結部６８及び渡り線７６とが電機子構成部８２Ｖの軸芯部に対する一方側と他方側に分かれて設けられている。また、電機子構成部８２Ｗでは、電機子構成ユニット８０Ｗに設けられた連結部６８及び渡り線７６と、電機子構成ユニット８０Ｗ’に設けられた連結部６８及び渡り線７６とが電機子構成部８２Ｗの軸芯部に対する一方側と他方側に分かれて設けられている。電機子構成部８２Ｖに設けられた一対の連結部６８は、一対の電機子構成ユニット８０Ｖ、８０Ｖ’が組み合わされた状態において環状を成しており、電機子構成部８２Ｗに設けられた一対の連結部６８は、一対の電機子構成ユニット８０Ｗ、８０Ｗ’が組み合わされた状態において環状を成している。
【００５７】
そして、図６に示されるように、上述の複数の電機子構成部８２Ｕ〜８２Ｗは、互いに軸方向から組み付けられる。このとき、最上層は、Ｕ相の電機子構成部８２Ｕとされ、中間層は、Ｖ相の電機子構成部８２Ｖとされ、最下層は、Ｗ相の電機子構成部８２Ｗとされている。複数の電機子構成部８２Ｕ〜８２Ｗが軸方向から組み付けられた状態において、複数のコア構成部材４８Ｕ〜４８Ｗ’は、電機子１０の軸方向一方側（矢印Ｚ１側）から見て反時計回りにＵ→Ｕ’→Ｖ→Ｖ’→Ｗ→Ｗ’→Ｕ’→Ｕ→Ｖ’→Ｖ→Ｗ’→Ｗの順で配列されている。
【００５８】
また、図２に示されるように、上述のようにして複数の電機子構成部８２Ｕ〜８２Ｗが互いに組み付けられた状態において、各巻線４６Ｕ〜４６Ｗ’の端末部４６Ａは、電機子１０の軸方向他方側（矢印Ｚ２側）に導出されており、複数の連結部６８は、電機子１０の軸方向一方側（矢印Ｚ１側）に配置されて互いに電機子１０の軸方向に並んでいる（重ね合わされている）。
【００５９】
また、このようにして複数の電機子構成部８２Ｕ〜８２Ｗが互いに組み付けられた状態において、複数の渡り線７６Ｕ〜７６Ｗ’は、複数のコア構成部材４８Ｕ〜４８Ｗ’の内径部よりも内側を通っている。この複数の渡り線７６Ｕ〜７６Ｗ’のうち中間層の電機子構成部８２Ｖにおける渡り線７６Ｖ、７６Ｖ’は、その上下層であるＵ相の連結部６８とＷ相の連結部６８との間に配置されている。
【００６０】
次に、本実施形態の作用及び効果について説明する。
【００６１】
なお、以下では、主としてＵ相について説明するが、Ｖ相及びＷ相においても同様の作用効果を奏する。
【００６２】
以上詳述したように、本実施形態によれば、図９Ａに示されるように、一方の巻回部７４Ｕ−１の０．５ターン目である巻き始めの端末部７４Ａは、電機子コアの外径側に向けて延びるティース部５０の基端部（最も電機子コアの内径側）に配置される。従って、その後に一方の巻回部７４Ｕ−１を巻回する場合でも、巻き始めの端末部７４Ａが邪魔になることを抑制することができる。
【００６３】
また、図９Ａに示されるように、巻き始めの端末部７４Ａは、スナップフィット構造９２により保持される。従って、その後に行われる例えば端末部７４Ａの皮膜剥離等の作業をやり易くすることができる。
【００６４】
また、図９Ｂに示されるように、巻回部７４Ｕ−１の列替えは、電機子コアの軸方向一方側（つまり、図２に示される渡り線７６Ｕ〜７６Ｗ’及び連結部６８が配置される側であって矢印Ｚ１側）において行われる。従って、図２に示されるように、渡り線７６Ｕ〜７６Ｗ’（連結部６８）の高さの範囲内に上述の巻回部７４Ｕ−１の列替え部分を配置することができるので、例えば巻回部７４Ｕ−１の列替え部分と渡り線７６Ｕ〜７６Ｗ’とが互いに反対側にある場合に比して電機子１０の軸長を短くすることができる。
【００６５】
また、図９Ｄに示されるように、一方の巻回部７４Ｕ−１では、１１．０ターン目（図９Ｅ（Ａ）参照）から始まる３層目を２層目の８．０ターン目と９．０ターン目との間から始めるため、２層目から３層目への列替え角度が大きくならないように、２層目においては５本の導体ではなく８．０ターン目から１０．５ターン目までの３本の導体が巻回される。そして、これにより、図９Ｅに示されるように、巻回部７４Ｕ−１における２層目から３層目への列替え角度（１０．５ターン目と１１．０ターン目との間の導体の角度）は、巻回部７４Ｕ−１の１層目における１．５ターン目以降の列替え角度と同じとされている。従って、巻回部７４Ｕ−１における２層目から３層目への列替え角度が大にならないので、巻回部７４Ｕ−１における１層目の整列崩れを抑制することができる。
【００６６】
また、図９Ｅに示されるように、一方の巻回部７４Ｕ−１では、２層目の９．０ターン目と１０．０ターン目との間に３層目の最初のターンである１１．０ターン目を配置するのは困難であるので、この１１．０ターン目が、２層目の最後から２番目のターンと４番目のターンとの間（１０．０ターン目と９．０ターン目との間）ではなく、２層目の最後から４番目のターンと６番目のターンとの間（９．０ターン目と８．０ターン目との間）に配置される。これにより、１０．５ターン目から１１．０ターン目までの列替え角度を大にすることができるので、２層目が滑り台となって３層目が整列崩れすることを抑制することができる。
【００６７】
また、図９Ｆに示されるように、一方の巻回部７４Ｕ−１では、１２．５ターン目の次の１３．０ターン目が、２層目の１０．０ターンに対するティース部５０の基端部側に配置されると、１２．５ターン目から１３．０ターン目までの列替え角度が大となるが、３層目の最終ターンである１２．５ターン目は、該最終ターンの２つ前のターンである１１．５ターン目にティース部５０の基端部側から支持される。これにより、巻回部７４Ｕ−１における３層目の整列崩れを抑制することができる。
【００６８】
また、図９Ｇに示されるように、インシュレータ６４Ｕのうち一方の巻回部７４Ｕ−１に対応する位置に設けられた絶縁部６６には、ティース部５０の基端部よりも長手方向中央部側に位置する保持突起８４が設けられており、一方の巻回部７４Ｕ−１における巻き終わりの端末部７４Ｃでもある渡り線７６Ｕの渡り始めの端末部７６Ａは、保持突起８４の先端部によってティース部５０の基端部側から支持されている。従って、渡り線７６Ｕにおける渡り始めの端末部７６Ａが電機子コアの内径側に配置されているので、隣り合う係合部５６及び被係合部５８が係合されることにより隣り合うコア構成部材同士が連結される場合でも、隣り合う係合部５６と被係合部５８との間に渡り線７６が挟み込まれることを抑制することができる。
【００６９】
また、図９Ｇに示されるように、一方の巻回部７４Ｕ−１の１層目における１．５ターン目以降は、ティース部５０の基端部側から保持突起８４の基端部によって支持されている。従って、巻回部７４Ｕ−１における１層目の整列崩れを抑制することができる。
【００７０】
また、図９Ｇに示されるように、保持突起８４は、スナップフィット構造９２を形成している。従って、保持突起８４をスナップフィット構造９２と兼用にすることができるので、ティース部５０の周辺構造を簡素化することができる。
【００７１】
また、図９Ｇに示されるように、一方の巻回部７４Ｕ−１は、２層目に対してティース部５０の基端部側に巻回された部分７４Ｂ（１３．０ターン目から１５．０ターン目までの部分）を有している。従って、一方の巻回部７４Ｕ−１の占積率を向上させることができる。
【００７２】
また、図９Ｈに示されるように、インシュレータ６４Ｕにおける絶縁部６６と連結部６８との接続部分には、案内突起７８が設けられており、渡り線７６における各端末部７６Ａ，７６Ｄ側の部分７６Ｂ，７６Ｃは、この案内突起７８によって案内されることにより、コア構成部材の両側の側部に形成された係合部５６と被係合部５８との間に位置されている。従って、隣り合う係合部５６及び被係合部５８が係合されることにより隣り合うコア構成部材同士が連結される場合でも、隣り合う係合部５６と被係合部５８との間に渡り線７６が挟み込まれることを抑制することができる。
【００７３】
また、図９Ｉに示されるように、他方の巻回部７４Ｕ−２の１．０ターン目である巻き始めの端末部７４Ａは、電機子コアの外径側に向けて延びるティース部５０の基端部（最も電機子コアの内径側）に配置される。従って、その後に他方の巻回部７４Ｕ−２を巻回する場合でも、巻き始めの端末部７４Ａが邪魔になることを抑制することができる。
【００７４】
また、図９Ｉに示されるように、巻回部７４Ｕ−２の列替えは、電機子コアの軸方向一方側（つまり、図２に示される渡り線７６Ｕ〜７６Ｗ’及び連結部６８が配置される側であって矢印Ｚ１側）において行われる。従って、図２に示されるように、渡り線７６Ｕ〜７６Ｗ’（連結部６８）の高さの範囲内に上述の巻回部７４Ｕ−２の列替え部分を配置することができるので、例えば巻回部７４Ｕ−２の列替え部分と渡り線７６Ｕ〜７６Ｗ’とが互いに反対側にある場合に比して電機子１０の軸長を短くすることができる。
【００７５】
また、図１３に示されるように、他方の巻回部７４Ｕ−２における０．５ターン目から最終ターンの２つ前のターンである１４．５ターン目までは、上述の一方の巻回部７４Ｕ−１における１．０ターン目から最終ターンの１つ前のターンである１５．０ターン目までと同様に巻回される。従って、一方の巻回部７４Ｕ−１と他方の巻回部７４Ｕ−２とが異なる巻回構造である場合に比してコストダウンすることができる。
【００７６】
また、図１１に示されるように、巻回部７４Ｕ−２における最後から３番目のターンである１４．５ターン目と最後から２番目のターンである１５．０ターン目との間の導体７４Ｆは、第一ガイド突起１０４によってティース部５０の基端部側から支持される。従って、巻回部７４Ｕ−２における２層目の整列崩れを抑制することができる。
【００７７】
また、図１２に示されるように、他方の巻回部７４Ｕ−２における最後のターンである１５．５ターン目と最後から２番目のターンである１５．０ターン目との間の導体７４Ｇは、渡り線７６Ｕの上側から渡り線７６Ｕと重なると共に、第二ガイド突起１０６によってティース部５０の長手方向中央部側から支持される。従って、渡り線７６Ｕの膨らみを抑制することができると共に、他方の巻回部７４Ｕ−２における１５．５ターン目と１５．０ターン目との間の導体７４Ｇが渡り線７６Ｕと擦れることを抑制することができる。
【００７８】
また、他方の巻回部７４Ｕ−２における最後のターンである１５．５ターン目は、巻き終わりの端末部７４Ｃであり、この巻き終わりの端末部７４Ｃは、スナップフィット構造１０２Ｂにより保持される。従って、その後に行われる例えば端末部７４Ｃの皮膜剥離等の作業をやり易くすることができる。
【００７９】
また、図９Ｌに示されるように、各巻回部７４Ｕ−１，７４Ｕ−２における巻き始めの端末部７４Ａ及び巻き終わりの端末部７４Ｃは、一対の絶縁部６６と連結部６８とによって形成されるつなぎ形状６９における中心角の範囲６９Ａの外側に配置される。従って、渡り線７６Ｕを設けたことにより一対の巻回部７４Ｕ−１，７４Ｕ−２が緩むことを抑制することができる。
【００８０】
また、本実施形態によれば、各巻回部７４Ｕ−１，７４Ｕ−２が３層とされているので、電機子コアの外径側に最終層（３層目）を配置することで（すなわち、各巻回部７４Ｕ−１，７４Ｕ−２が電機子コアの内径側を上底とし外径側を下底とする逆台形形状とされることで）、その分、巻線の占積率を向上させることができる。
【００８１】
また、ティース部５０の左右で巻線のターン数が０．５ターン異なることにより各巻回部７４Ｕ−１，７４Ｕ−２における巻き始めの端末部７４Ａと巻き終わりの端末部７４Ｃとがティース部５０における同じ側の側部に位置されると共に、この各端末部７４Ａ，７４Ｃが電機子コアの内径側に位置されている。従って、各端末部７４Ａ，７４Ｃが巻線を巻回する際に邪魔になることを抑制することができるので、その結果、巻線の占積率をより向上させることができる。
【００８２】
また、図６に示されるように、インシュレータ６４Ｕには、一対のコア構成部材４８Ｕが組み付けられると共に、該一対のコア構成部材４８Ｕには、巻線４６Ｕが巻回される。他のインシュレータ６４Ｖ〜６４Ｗ’も同様である。そして、このようにして互いに独立する複数の電機子構成ユニット８０Ｕ〜８０Ｗ’が構成される。また、この複数の電機子構成ユニット８０Ｕ〜８０Ｗ’が隣り合う同士で組み合わされることにより、複数の電機子構成部８２Ｕ〜８２Ｗが構成されている。
【００８３】
そして、例えば、この複数の電機子構成部８２Ｕ〜８２Ｗのうち電機子構成部８２Ｕでは、一対の渡り線７６Ｕ，７６Ｕ’が一対の連結部６８の各々に倣って配置されており、一方の連結部６８及び一方の渡り線７６Ｕと、他方の連結部６８及び他方の渡り線７６Ｕ’とは、電機子構成部８２Ｕの軸芯部８３に対する一方側と他方側に分かれて設けられている。従って、電機子構成部８２Ｕにおいて一対の渡り線７６Ｕ，７６Ｕ’が互いに交差しない。このことは、他の電機子構成部８２Ｖ，８２Ｗでも同様である。このため、複数の電機子構成部８２Ｕ〜８２Ｗが互いに組み付けられて電機子１０が構成された場合でも、電機子１０の軸長の増加を抑制することができる。これにより、各電機子構成部８２Ｕ〜８２Ｗにおいて一対の渡り線が互いに交差する場合に比して、電機子１０の軸長を短くすることができる。
【００８４】
次に、本実施形態の変形例について説明する。
【００８５】
上記実施形態において、各巻回部７４Ｕ−１，７４Ｕ−２は、０．５ターン目から１５．５ターン目までを有していたが、図１４に示されるように、０．５ターン目から１４．５ターン目までを有していても良く、また、図１５に示されるように、０．５ターン目から１６．５ターン目までを有していても良い。
【００８６】
つまり、図１４に示される変形例では、一対の巻回部７４Ｕ−１，７４Ｕ−２のいずれにおいても、図１３に示される１４．５ターン目の位置、１５．０ターン目の位置、１５．５ターン目の位置に、１３．５ターン目、１４．０ターン目、１４．５ターン目がそれぞれ位置されることにより、図１３に示される例よりも１ターン分少なくなっている。図１４に示される変形例において、その他のターンの位置は、図１３に示される例と同様である。
【００８７】
また、図１３に示される例では、一方の巻回部７４Ｕ−１における２層目が８．０ターン目から１０．５ターン目によって構成され、３層目が１１．０ターン目から１２．５ターン目によって構成されているのに対し、図１５に示される変形例では、一方の巻回部７４Ｕ−１における２層目が８．０ターン目から１１．５ターン目によって構成され、３層目が１２．０ターン目から１４．５ターン目によって構成されている。そして、これにより、図１５に示される変形例では、図１３に示される例よりも一方の巻回部７４Ｕ−１が１ターン分多くなっている。
【００８８】
また、図１３に示される例では、他方の巻回部７４Ｕ−２における２層目が７．５ターン目から１０．０ターン目によって構成され、３層目が１０．５ターン目から１２．０ターン目によって構成されているのに対し、図１５に示される変形例では、他方の巻回部７４Ｕ−２における２層目が７．５ターン目から１１．０ターン目によって構成され、３層目が１１．５ターン目から１４．０ターン目によって構成されている。そして、これにより、図１５に示される変形例では、図１３に示される例よりも他方の巻回部７４Ｕ−２が１ターン分多くなっている。
【００８９】
なお、図１３に示される例では、一方の巻回部７４Ｕ−１における１３．０ターン目から１５．０ターン目によって、２層目に対してティース部５０の基端部側に巻回された部分７４Ｂが形成されていたが、図１５に示される変形例では、一方の巻回部７４Ｕ−１における１５．０ターン目から１５．５ターン目によって、２層目に対してティース部５０の基端部側に巻回された部分７４Ｂが形成されている。同様に、図１３に示される例では、一他の巻回部７４Ｕ−１における１２．５ターン目から１４．５ターン目によって、２層目に対してティース部５０の基端部側に巻回された部分７４Ｂが形成されていたが、図１５に示される変形例では、他方の巻回部７４Ｕ−２における１４．５ターン目から１５．５ターン目によって、２層目に対してティース部５０の基端部側に巻回された部分７４Ｂが形成されている。
【００９０】
さらに、図１５に示される変形例において、一方の巻回部７４Ｕ−１における１６．０ターン目は、規制突起８６及び支持部８８によって形成されたスナップフィット構造９２によって保持されており、１６．５ターン目は、保持突起８４によって支持されている。また、他方の巻回部７４Ｕ−２における１６．０ターン目及び１６．５ターン目は、それぞれスナップフィット構造１０２Ａ，１０２Ｂによって保持されている。図１５に示される変形例において、その他のターンの位置は、図１３に示される例と同様である。
【００９１】
このような図１４，図１５に示される変形例においても、上記実施形態と同様の作用及び効果を奏することができる。
【００９２】
また、上記実施形態では、渡り線７６Ｕにおける渡り始めの端末部７６Ａに対応して保持突起８４が設けられていたが、渡り線７６Ｕの渡り終わりの端末部７６Ｃに対応して保持突起８４が設けられていても良い。また、渡り線７６Ｕにおける渡り始めの端末部７６Ａ及び渡り終わりの端末部７６Ｃの両方に対応して保持突起８４が設けられていても良い。渡り線７６Ｕ’〜７６Ｗ’についても同様である。
【００９３】
また、電機子１０は、アウターロータ型の回転電機における固定子とされていたが、インナーロータ型の回転電機における固定子とされても良い。つまり、図１６（Ａ）には、本実施形態を適用したアウターロータ型の電機子１０が模式的に示されており、図１６（Ｂ）には、本実施形態を適用したインナーロータ型の電機子１１０が模式的に示されている。インナーロータ型の電機子１１０に本実施形態が適用された場合、ティース部５０の向きが逆になるが、巻回部７４の構成は、上述のアウターロータ型の電機子と同様である。また、本実施形態は、ブラシレスモータの固定子以外にも、ブラシ付き直流モータの回転子に適用されていても良い。
【００９４】
また、電機子１０は、１２個のコア構成部材４８Ｕ〜４８Ｗ’と、６つのインシュレータ６４Ｕ〜６４Ｗ’と、Ｕ，Ｖ，Ｗ相を構成する複数の巻線４６Ｕ〜４６Ｗ’とを備えていたが、これらの数は、上記以外でも良い。また、この場合に、上述の各電機子構成ユニット８０Ｕ〜８０Ｗでは、一対のコア構成部材が少なくとも１個以上の隙間を空けて配置されていても良い。
【００９５】
また、各インシュレータ６４Ｕ〜６４Ｗ’に絶縁部６６が一対ずつ（２つずつ）設けられていたが、各インシュレータ６４Ｕ〜６４Ｗ’には、絶縁部６６が３つ以上ずつ設けられていても良い。
【００９６】
また、Ｕ相のインシュレータ６４Ｕとインシュレータ６４Ｕ’とは、電機子１０の軸方向視にて面対称に形成されていたが、面対称でなくても良い。Ｖ相のインシュレータ６４Ｖ，Ｖ’、及び、Ｗ相のインシュレータ６４Ｗ，Ｗ’についても同様である。
【００９７】
また、複数のコア構成部材４８Ｕ〜４８Ｗ’の各々には、係合部５６及び被係合部５８が設けられ、この複数のコア構成部材４８Ｕ〜４８Ｗ’は、隣り合う係合部５６及び被係合部５８が係合されることにより環状に連結されていた。しかしながら、複数のコア構成部材４８Ｕ〜４８Ｗ’は、環状に連結されずに例えばセンターピース１４等にそれぞれ独立して接続されても良い。
【００９８】
また、複数の渡り線７６Ｕ〜７６Ｗ’の全てが複数のコア構成部材４８Ｕ〜４８Ｗ’の内径部よりも内側を通っていたが、例えば、最上層であるＵ相の電機子構成部８２Ｕの渡り線７６Ｕ、７６Ｕ’は、複数のコア構成部材４８Ｕ〜４８Ｗ’の内径部よりも外側を通っていても良い。なお、最上層であるＵ相の電機子構成部８２Ｕの渡り線７６Ｕ、７６Ｕ’であれば、複数のコア構成部材４８Ｕ〜４８Ｗ’の内径部よりも外側を通っていても、隣り合う係合部５６と被係合部５８との間に渡り線７６Ｕ、７６Ｕ’が挟み込まれることを抑制することができる。
【００９９】
また、各インシュレータ６４Ｕ〜６４Ｗ’に形成された連結部６８は、いずれも円弧状に形成されていたが、円弧状以外の形状に形成されていても良い。
【０１００】
また、各巻回部７４Ｕ〜７４Ｗ’は、締り方向に巻回されていたが、緩み方向に巻回されていても良い。
【０１０１】
以上、本発明の一実施形態について説明したが、本発明は、上記に限定されるものでなく、上記以外にも、その主旨を逸脱しない範囲内において種々変形して実施可能であることは勿論である。
【符号の説明】
【０１０２】
１０…電機子、１２…回転子、１４…センターピース、１６…モータホルダ、１８…回路基板、２０…ケース、２２…軸部、２４…ハウジング、２６…マグネット、２８…軸受、３０…回転シャフト、３２…シロッコファン、３４…本体部、４２…電機子コア、４４…絶縁部材、４６Ｕ〜４６Ｗ’…巻線、４６Ａ…端末部、４８Ｕ〜４８Ｗ’…コア構成部材、５０…ティース部、５２…継鉄構成部、５４…継鉄、５６…係合部、５８…被係合部、６４Ｕ〜６４Ｗ’…インシュレータ、６６…絶縁部、６８…連結部、６９…つなぎ形状、７０…案内部、７２…支持部、７４Ｕ〜７４Ｗ’…巻回部、７４Ａ…巻き始めの端末部、７４Ｃ…巻き終わりの端末部、７６Ｕ〜７６Ｗ’…渡り線、７６Ａ…渡り始めの端末部、７６Ｄ…渡り終わりの端末部、７８…案内突起、７８Ａ…傾斜面、８０Ｕ〜８０Ｗ’…電機子構成ユニット、８２Ｕ〜８２Ｗ…電機子構成部、８３…軸芯部、８４…保持突起、８６…規制突起、８８，９０…支持部、９２…スナップフィット構造、９６…規制突起、９８…支持部、１０２Ａ，１０２Ｂ…スナップフィット構造、１０４…第一ガイド突起、１０６…第二ガイド突起、Ｍ…回転電機
【図１】
2015106992.tif 000003
【図２】
2015106992.tif 000004
【図３】
2015106992.tif 000005
【図４】
2015106992.tif 000006
【図５】
2015106992.tif 000007
【図６】
2015106992.tif 000008
【図７】
2015106992.tif 000009
【図８】
2015106992.tif 000010
【図９Ａ】
2015106992.tif 000011
【図９Ｂ】
2015106992.tif 000012
【図９Ｃ】
2015106992.tif 000013
【図９Ｄ】
2015106992.tif 000014
【図９Ｅ】
2015106992.tif 000015
【図９Ｆ】
2015106992.tif 000016
【図９Ｇ】
2015106992.tif 000017
【図９Ｈ】
2015106992.tif 000018
【図９Ｉ】
2015106992.tif 000019
【図９Ｊ】
2015106992.tif 000020
【図９Ｋ】
2015106992.tif 000021
【図９Ｌ】
2015106992.tif 000022
【図１０】
2015106992.tif 000023
【図１１】
2015106992.tif 000024
【図１２】
2015106992.tif 000025
【図１３】
2015106992.tif 000026
【図１４】
2015106992.tif 000027
【図１５】
2015106992.tif 000028
【図１６】
2015106992.tif 000029